(57)【特許請求の範囲】
【請求項１】
公衆セル領域を形成する少なくとも一つの基地局を含む公衆網(ＰＬＭＮ；公衆移動通信網)と公衆及び私設共有セル領域を形成する少なくとも一つの基地局を含む私設網が連動され、加入者が一つの無線端末に公衆移動通信サービスと私設通信サービスをすべて受けるようにする公衆及び私設移動通信システムで、前記公衆網の加入者状態情報と前記私設網の加入者状態情報を整合させるための方法であって、
前記私設網が、前記公衆及び私設共有セル領域内にある無線端末の状態を判定して、対応する加入者状態情報を前記公衆網に伝達する第１段階と、
前記公衆網で受信された前記加入者状態情報に基づいて前記無線端末に対する公衆網呼出呼を処理する第２段階と、を含み、
前記第１段階は、前記無線端末の状態情報が変化される時に遂行されることを特徴とする方法。
【請求項２】
前記第１段階は、前記公衆網から前記無線端末に対する着信がなされる時に遂行される
ことを特徴とする請求項１記載の方法。
【請求項３】
前記第２段階は、前記加入者状態情報に基づいて前記公衆網の訪問者位置登録機に存在する前記端末に対する状態情報を更新する段階をさらに含む
ことを特徴とする請求項１又は２に記載の方法。
【請求項４】
少なくとも一つの移動交換局と、前記移動交換局それぞれに連結された複数の公衆網基地局制御局と、前記基地局制御局それぞれに連結され公衆専用セル領域を形成する複数の公衆網基地局とを含む公衆網(ＰＬＭＮ；公衆移動通信網)と連動され、前記複数の公衆網基地局制御局中のいずれか一つに連結された公衆及び私設通信サービス装置と、前記公衆及び私設通信サービス装置に連結され公衆及び私設共用セル領域を形成する少なくとも一つの私設基地局とを含む公衆及び私設移動通信システムで、前記公衆網の加入者状態情報と前記私設網の加入者状態情報を整合させるための方法であって、
前記公衆網基地局制御局から前記公衆及び私設共用セル領域内の無線端末に対する公衆網着信呼メッセージを受信する段階と、
前記無線端末が現在私設網呼連結中であるかを判定する段階と、
前記判定結果、前記端末がアイドル状態である場合には、前記公衆網着信呼を前記無線端末に連結させ、前記端末が私設網呼使用中である場合には、呼出応答メッセージを生成して前記公衆網基地局に伝送する段階と、
前記無線端末の状態情報が変化される時に、前記私設網が該無線端末の状態情報を公衆網に伝達する段階と、
を前記公衆及び私設通信サービス装置で実行することを特徴とする方法。
【請求項５】
少なくとも一つの移動交換局と、前記移動交換局それぞれに連結された複数の公衆網基地局制御局と、前記基地局制御局それぞれに連結され公衆専用セル領域を形成する複数の公衆網基地局とを含む公衆網(ＰＬＭＮ；公衆移動通信網)と連動され、前記複数の公衆網基地局制御局中のいずれか一つに連結された公衆及び私設通信サービス装置と、前記公衆及び私設通信サービス装置に連結され公衆及び私設共用セル領域を形成する少なくとも一つの私設基地局とを含む公衆及び私設移動通信システムで、前記公衆網の加入者状態情報と前記私設網の加入者状態情報を整合させるための方法であって、
前記公衆及び私設共用セル領域内の端末が前記私設網の呼出に応答する時、前記公衆及び私設通信サービス装置が、前記端末の私設網通話中状態情報を前記公衆網基地局制御局に伝達する段階と、
前記公衆網基地局制御局に受信された前記状態情報を利用して、前記移動交換局が、訪問者位置登録機に存在する前記端末に対する状態情報を更新する段階と、
を含むことを特徴とする方法。
【請求項６】
前記端末の私設網通話が終了された時、前記公衆及び私設通信サービス装置が、前記端末がアイドル状態であることを示す状態情報を前記公衆網基地局制御局に伝達する段階と、
前記公衆網基地局制御局に受信された前記状態情報を利用して、前記移動交換局が、訪問者位置登録機に存在する前記端末に対する状態情報を更新する段階と、をさらに含む
ことを特徴とする請求項５記載の方法。
【請求項７】
複数の移動端末と、少なくとも一つの移動交換局と、前記移動交換局それぞれに連結された複数の公衆網基地局制御局と、前記基地局制御局それぞれに連結され公衆専用セル領域を形成する複数の公衆網基地局とを含む公衆網(ＰＬＭＮ；公衆移動通信網)と連動され、公衆及び私設共用セル領域を形成する少なくとも一つの私設基地局が連結された公衆及び私設通信サービス装置であって、
前記公衆及び私設共用セル領域内の端末に対する着信を要求するメッセージが私設移動通信サービスメッセージである場合には、対応する私設交換サービスのための網接続を提供し、前記端末に対する着信を要求するメッセージが公衆移動通信サービスのためのメッセージである場合には、前記着信要求された端末が現在アイドル状態であるか、私設呼連結中であるかを判定してアイドル状態である場合には、対応する網接続を提供し、私設呼連結中である場合には、通話中であることを示す呼出応答メッセージを生成して前記公衆網基地局制御局に伝送する呼管理装置と、
前記呼管理装置の制御によって前記受信されたサービス要求メッセージが要求するサービスに対応する通信経路を形成する通信経路形成部と、を含み、
前記呼管理装置は、前記公衆及び私設共用セル領域内の端末の状態情報変化を感知した時に、該変化された状態情報を公衆網基地局制御局に伝達する
ことを特徴とする公衆及び私設通信サービス装置。
【請求項８】
複数の移動端末と、少なくとも一つの移動交換局と、前記移動交換局それぞれに連結された複数の公衆網基地局制御局と、前記基地局制御局それぞれに連結され公衆専用セル領域を形成する複数の公衆網基地局とを含む公衆網(ＰＬＭＮ；公衆移動通信網)と連動され、公衆及び私設共用セル領域を形成する少なくとも一つの私設基地局が連結された公衆及び私設通信サービス装置であって、
前記公衆及び私設共用セル領域内の無線端末から私設呼サービスを要求するメッセージが受信される場合、対応する私設交換サービスのための網接続を提供し、前記無線端末が私設呼連結中であることを示すメッセージを生成して前記公衆網基地局制御局に伝送する呼管理装置と、
前記呼管理装置の制御によって前記受信されたサービス要求メッセージが要求するサービスに対応する通信経路を形成する通信経路形成部と、を含み、
前記呼管理装置は、前記公衆及び私設共用セル領域内の端末の状態情報変化を感知した時に、該変化された状態情報を公衆網基地局制御局に伝達する
ことを特徴とする公衆及び私設通信サービス装置。
【請求項９】
前記呼管理装置は、前記無線端末の私設呼サービスが終了された時、前記端末がアイドル状態であることを示すメッセージを生成して、前記公衆網基地局制御局に伝達する
ことを特徴とする請求項８記載の公衆及び私設通信サービス装置。
【請求項１０】
前記呼管理装置は、前記公衆及び私設移動通信サービスのための私設基地局制御と公衆及び私設移動通信サービスに応じる網接続のための制御を遂行する主制御部と、前記主制御部と通信し、前記私設用移動通信サービス登録された加入者の状態情報を含む情報が記録された私設位置登録機と、前記状態情報を参照して受信されるそれぞれのメッセージに対応する経路情報がマッピングされたルーティングテーブルと、を設けて、前記ルーティングテーブルを参照して受信されるメッセージの経路を指定し、前記私設位置登録機の前記加入者状態情報が私設呼通話中であることを示す場合、呼出応答メッセージを生成して公衆網基地局制御局に伝送するメッセージルータを含む
ことを特徴とする請求項９記載の公衆及び私設通信サービス装置。
【請求項１１】
前記呼管理装置は、前記公衆及び私設移動通信サービスのための私設基地局制御と公衆及び私設移動通信サービスに応じる網接続のための制御を遂行する主制御部と、前記主制御部と通信し、前記私設用移動通信サービス登録された加入者の状態情報を含む情報が記録された私設位置登録機と、前記状態情報を参照して受信されるそれぞれのメッセージに対応する経路情報がマッピングされたルーティングテーブルと、を設けて、前記ルーティングテーブルを参照して受信されるメッセージの経路を指定し、前記私設位置登録機の加入者状態情報が変化する時、対応するメッセージを生成して前記公衆網基地局制御局に伝送するメッセージルータを含む
ことを特徴とする請求項８又は請求項９記載の公衆及び私設通信サービス装置。
【請求項１２】
少なくとも一つの移動交換局と、前記移動交換局それぞれに連結された複数の公衆網基地局制御局と、前記公衆網基地局制御局それぞれに連結されて公衆専用セル領域を形成する複数の公衆網基地局とを含む公衆網(ＰＬＭＮ；公衆移動通信網)と連動され、前記複数の公衆網基地局制御局中のいずれか一つに連結された公衆及び私設通信サービス装置と、前記公衆及び私設通信サービス装置に連結され、公衆及び私設共用セル領域を形成する少なくとも一つの私設基地局と、を含む公衆及び私設移動通信システムで、前記公衆網の加入者状態情報と前記私設網の加入者状態情報を整合させるための方法であって、
前記公衆及び私設共用セル領域内の端末の状態情報が変化する場合、前記公衆及び私設通信サービス装置が、当該変化した端末の状態情報が書き込まれたフィールドを含むメッセージを生成して前記公衆網基地局制御局に伝達する段階と、
前記移動交換局が、前記公衆網基地局制御局で受信された前記メッセージ内に含まれている前記状態情報を示すフィールドを判読して訪問者位置登録機に存在する前記端末に対する状態情報を更新する段階と、
を含むことを特徴とする方法。
【請求項１３】
少なくとも一つの移動交換局と、前記移動交換局それぞれに連結された複数の公衆網基地局制御局と、前記基地局制御局それぞれに連結され公衆専用セル領域を形成する複数の公衆網基地局とを含む公衆網(ＰＬＭＮ；公衆移動通信網)と連動され、前記複数の公衆網基地局制御局中のいずれか一つに連結された公衆及び私設通信サービス装置と、前記公衆及び私設通信サービス装置に連結され公衆及び私設共用セル領域を形成する少なくとも一つの私設基地局と、を含む公衆及び私設移動通信システムで、前記公衆網の加入者状態情報と前記私設網の加入者状態情報を整合させるための方法であって、
前記公衆及び私設共用セル領域内の端末が前記私設網の呼出に応答する場合、前記公衆及び私設通信サービス装置で、当該端末の状態情報を示すフィールドに該端末が通話中状態であることを記録したメッセージを生成して前記公衆網基地局制御局に伝達する段階と、
前記移動交換局で、前記公衆網基地局制御局で受信された前記メッセージ内に含まれている前記状態情報を示すフィールドを判読して訪問者位置登録機に存在する前記端末に対する状態情報を更新する段階と、
を含むことを特徴とする方法。
【請求項１４】
前記端末の私設網通話が終了された時、前記公衆及び私設通信サービス装置で、前記端末の状態情報を示すフィールドに前記端末がアイドル状態であることを記録したメッセージを生成して前記公衆網基地局制御局に伝達する段階と、
前記移動交換局で、前記公衆網基地局制御局で受信された前記メッセージ内に含まれている前記状態情報を示すフィールドを判読して前記訪問者位置登録機に存在する前記端末に対する状態情報を更新する段階と、
をさらに含むことを特徴とする請求項１３記載の方法。
【請求項１５】
前記状態情報を示すフィールドは４バイトのメッセージアイディフィールドであることを特徴とする請求項１２〜１４のいずれか１項に記載の方法。
【請求項１６】
前記状態情報を示すフィールドは４バイトのメッセージサブアイディフィールドであることを特徴とする請求項１２〜１４のいずれか１項に記載の方法。
【請求項１７】
前記メッセージは位置登録メッセージであり、前記フィールドは１バイトの登録タイプ(Registration Type)フィールドであることを特徴とする請求項１２〜１４のいずれか１項に記載の方法。
【請求項１８】
複数の移動端末と、少なくとも一つの移動交換局と、前記移動交換局それぞれに連結された複数の公衆網基地局制御局と、前記公衆網基地局制御局それぞれに連結され、公衆専用セル領域を形成する複数の公衆網基地局とを含む公衆網(ＰＬＭＮ；公衆移動通信網)と連動され、公衆及び私設共用セル領域を形成する少なくとも一つの私設基地局が連結された公衆及び私設通信サービス装置であって、
前記公衆及び私設共用セル領域内の無線端末から私設呼サービスを要求するメッセージが受信される場合、対応する私設交換サービスのための網接続を提供して当該無線端末の状態を示すフィールドに該無線端末が私設呼連結中であることを記録したメッセージを生成して前記公衆網基地局制御局に伝送する呼管理装置と、
前記呼管理装置の制御によって前記受信されたサービス要求メッセージが要求するサービスに対応する通信経路を形成する通信経路形成部と、
を含むことを特徴とする公衆及び私設通信サービス装置。
【請求項１９】
前記呼管理装置は、前記無線端末の私設呼サービスが終了された時、前記端末の状態情報を示すフィールドに前記端末がアイドル状態であることを記録したメッセージを生成して前記公衆網基地局制御局に伝達する
ことを特徴とする請求項１８記載の公衆及び私設通信サービス装置。
【請求項２０】
前記呼管理装置は、
前記公衆及び私設移動通信サービスのための私設基地局制御と公衆及び私設移動通信サービスによる網接続のための制御を遂行する主制御部と、
前記主制御部と通信し、前記私設用移動通信サービス登録された加入者の状態情報を含む情報が書き込まれた私設位置登録機と、
前記状態情報を参照して受信されるそれぞれのメッセージに対応する経路情報がマッピングされたルーティングテーブルを備え、前記ルーティングテーブルを参照して受信されるメッセージの経路を指定し、前記私設位置登録機の加入者状態情報が変化する時、当該変化した端末の状態情報が書き込まれたフィールドを含むメッセージを生成して前記公衆網基地局制御局に伝送するメッセージルータと、
を含むことを特徴とする請求項１８記載の公衆及び私設通信サービス装置。
【請求項２１】
前記呼管理装置は、
前記公衆及び私設移動通信サービスのための私設基地局制御と公衆及び私設移動通信サービスによる網接続のための制御を遂行する主制御部と、
前記主制御部と通信し、前記私設用移動通信サービス登録された加入者の状態情報を含む情報が書き込まれた私設位置登録機と、
前記状態情報を参照して受信されるそれぞれのメッセージに対応する経路情報がマッピングされたルーティングテーブルを備え、前記ルーティングテーブルを参照して受信されるメッセージの経路を指定し、前記私設位置登録機の加入者状態情報が変化する時、当該変化した端末の状態情報が書き込まれたフィールドを含むメッセージを生成して前記公衆網基地局制御局に伝送するメッセージルータと、
を含むことを特徴とする請求項１９記載の公衆及び私設通信サービス装置。
【請求項２２】
前記端末の状態を示すフィールドは４バイトのメッセージアイディフィールドであることを特徴とする請求項１８〜２１のいずれか１項に記載の公衆及び私設通信サービス装置。
【請求項２３】
前記端末の状態を示すフィールドは４バイトのメッセージサブアイディフィールドであることを特徴とする請求項１８〜２１のいずれか１項に記載の公衆及び私設通信サービス装置。
【請求項２４】
前記端末の状態を示すフィールドを含むメッセージは位置登録メッセージであり、前記フィールドは１バイトの登録タイプ(Registration Type)フィールドであることを特徴とする請求項１８〜２１のいずれか１項に記載の公衆及び私設通信サービス装置。
【発明の詳細な説明】
【０００１】
【発明の属する技術分野】
本発明は無線公衆網(Public Land Mobile Network:ＰＬＭＮ)と有無線私設網が連動される移動通信システムに関するもので、特に前記システムで私設網の加入者状態を公衆無線網に伝達して公衆網と私設網の加入者状態を整合させる装置、方法及びそのシステムに関する。
【０００２】
【従来の技術】
一般的に、公衆移動通信網と私設(または構内)移動通信網は互いに個別的に具現され、二つの網間の相互連動は不可能である。即ち、通常、移動通信システムは公衆用移動通信サービスであるか、それとも私設用移動通信サービスのみができるようにそれぞれ設計され具現されているので、各網に登録された移動端末加入者は自分が登録された網のみでサービスを受けることができる。従って、公衆用移動通信網に登録された移動端末加入者は私設移動通信サービスを受けることができなく、同様に私設移動通信網に登録された移動端末加入者は公衆移動通信サービスを受けることができなかった。これによって移動端末加入者が一つの移動端末に公衆及び私設移動通信サービスを共に受けるようにすることが要求された。
【０００３】
前記のようなシステムの開発必要性によって、一つの移動端末に公衆及び私設移動通信サービスをすべて受けることができるようにする公衆及び私設移動通信システムを具現した例として、本願出願人である三星電子(式)により２０００年５月２４日付けに韓国特許庁に出願された出願番号第２０００−０２８１７２号、発明の名称“公衆用及び私設用移動通信サービスのためのシステム及び方法”がある。図１に示されたように、前記特許出願に開示されたシステムの概略的な構成及びその通信経路は次のようである。
【０００４】
次の説明で、ＭＳは移動局(Mobile Station)、即ち無線端末を示し、ＭＳＣは移動交換局(Mobile Switching Center)を示し、ＢＳＣは基地局制御局(Base Station Controller)を示し、ＢＴＳは基地局(Base Station Transceiver Subsystem)を示す。また前記構成要素の名称前に記載した“ｐ”は“私設(private)”を意味するものとして、公衆網構成要素と区別するため、便宜上使用したものである。
【０００５】
図１を参照すると、公衆／私設通信サービス装置１２は、私設交換機(ＰＢＸ:Private Branched eXchange)３０と、ｐＢＳＣ(private ＢＳＣ)４０と、呼管理装置(ＣＭ:Call Manager)５０と、からなる。前記私設交換機３０はスイッチ３２、Ｅ１インタフェース３４を含めており、前記ｐＢＳＣ４０はｐＣＩＮ(private Communication Interconnection Network)４２及びＴＳＢ(Transcoder & Selector Bank)４４を含めている。
【０００６】
前記私設交換機３０及びｐＢＳＣ４０の内部構成は、公衆用移動通信サービス及び私設用移動通信サービスが提供される時の通信経路を説明するのに、必要な構成要素のみを示したものである。ＭＳ２４、２５(Mobile Station、即ち移動端末機)は、公衆／私設共有セル領域にあり、私設用移動通信サービスを受けることができるように、公衆／私設通信サービス装置１２にサービス登録されていると仮定し、ＭＳ２２は公衆専用セル領域にあると仮定する。上述した仮定下で、通信経路(トラヒックチャネル)▲１▼即ち、ＭＳ２４、ｐＢＴＳ(８−ｋ)、ｐＢＳＣ４０のｐＣＩＮ４２、ＴＳＢ４４、Ｅ１インタフェース３４、スイッチ３２、ＴＳＢ４４、ｐＣＩＮ４２、ｐＢＴＳ(８−ｋ)、ＭＳ２５に形成される通信経路と、その反対方向に形成される通信経路は、私設用移動通信サービスが提供される時の通信経路の一例である。そして、通信経路(即ちトラヒックチャネル)▲２▼即ち、ＭＳ２５、ｐＢＴＳ(８−ｋ)、ｐＢＳＣ４０のｐＣＩＮ４２、ＰＬＭＮ(Public Land Mobile Network)１のＢＳＣ(４−ｍ)、ＭＳＣ(２−１)、ＢＳＣ(４−ｍ)、ＢＴＳ(８−１)、ＭＳ２２に形成される通信経路と、その反対方向に形成される通信経路は公衆用移動通信サービスが提供される時の通信経路の一例である。前記のような公衆用移動通信サービス及び私設用移動通信サービスのための通信経路形成は、公衆／私設通信サービス装置１２の主制御装置である呼管理装置５０の制御により遂行される。また、公衆／私設通信サービス装置１２は有線サービス、ＩＰ(Internet Protocol)端末サービス、及び公衆用及び私設用移動通信サービスを提供する。前記有線サービスはＰＢＸ３０により提供され、ＩＰ端末機間のサービスはＶｏＩＰ(Voice over Internet Protocol)ゲートキーパー(gate keeper)(図示せず)により提供され、公衆用及び私設用移動通信サービス、即ち、無線呼サービスは呼管理装置５０の制御により遂行される。
【０００７】
また、前記例でのような公衆及び私設移動通信システムを３Ｇネットワークに適用して構内無線インタネットができるように向上させた例として、本願出願人である三星電子により２０００年９月２８日付けに韓国特許庁に出願された出願番号第２００１−０６０８３１号、発明の名称“構内無線インタネットパケットデータ通信装置及び方法”がある。
【０００８】
前記特許出願例でのような公衆網と私設網が連動されてサービスされるシステムではなく、通常的な無線公衆網ではＭＳＣ→ＢＳＣ→ＢＴＳ→ＭＳの順序に呼出信号が伝達され、移動無線端末機の呼出応答メッセージ経路は前記呼出信号伝達過程の逆順、即ちＭＳ→ＢＴＳ→ＢＳＣＭＳＣになる。
【０００９】
一方に、前記特許出願例でのような公衆及び私設通信サービスシステムではＭＳＣ→ＢＳＣ→ｐＢＳＣ→ＢＴＳ→ＭＳの順序に呼出信号が伝達され、公衆及び私設無線端末の応答経路は、前記呼出信号伝達過程の逆順、即ちＭＳ→ＢＴＳ→ｐＢＳＣ→ＢＳＣ→ＭＳＣになる。この時、ｐＢＳＣは通過する呼が公衆網呼である場合には、そのままに(transparently)通過させ、公衆／私設共有セル領域内にある端末に対する公衆網着信／発信処理にどのような影響を与えないことにより、公衆網と互換性を維持し(そのため、公衆網ＢＳＣではｐＢＳＣなし、すぐＢＴＳが連結されたことに認識可能)、私設網呼が発生した場合には、これを認識して私設網内部で呼処理を遂行するように制御する。
【００１０】
しかし、このように構成された公衆及び私設移動通信システムでは公衆及び私設共有セル領域内の一つの構内無線端末が他の構内端末と通話中であるか、ＰＢＸを通じて他の端末(即ち、ＰＢＸに連結された他の構内端末、またはＰＢＸの局線を通じて連結されることができるＰＳＴＮ網上に連結された他の端末)と通話中である時点に、公衆移動通信網が該当構内無線端末を呼び出す場合、公衆網では該当端末が構内呼接続中であるとの事実を把握できなく、該当端末がアイドル状態であることに把握して呼出信号を発生させる。しかし、構内呼接続中である端末機は応答できない。これによって公衆網では該当無線端末の位置を把握できなくて、２次呼出まで試みるようになるなど、公衆網無線資源の浪費をもたらすようになり、発信者は受信者の正確な状態を受信できない問題点がある。ここで、２次呼出とは単純に呼出回数のみを意味するものではなく、呼出領域(paging zone)が広がることを意味することもできる。言い換えれば、呼出領域に属する基地局の個数が１次呼出時より多くなる場合(ただ、各呼出領域は、この時、新しく決定されるものではなく、すでに決定されたものである)になることができ、公衆網で遂行される呼出であるので、該当私設／公衆網の呼出範囲を越えることもできる。
【００１１】
【発明が解決しようとする課題】
従って、前記のような問題点を解決するため、本発明は公衆網と私設網が連動する移動通信システムで、私設網内にある端末の状態情報を公衆網に伝達するようにする装置、方法及びそのシステムを提供する。
【００１２】
また、本発明は公衆網と私設網が連動する移動通信システムで、私設網内にある端末の状態情報を公衆網に伝達して公衆網の加入者状態情報と私設網の加入者状態情報を整合できるようにする装置、方法及びそのシステムを提供する。
【００１３】
また、本発明は公衆網と私設網が連動する移動通信システムで、公衆網から構内呼連結中である構内無線端末に対する着信が遂行される時、私設網内にある端末の状態情報を公衆網に伝達して公衆網の加入者状態情報と私設網の加入者状態情報を整合できるように装置、方法及びそのシステムを提供する。
【００１４】
また、本発明は公衆網と私設網が連動する移動通信システムで、構内無線端末の状態情報が変化する時、これを公衆網に伝達して公衆網の加入者状態情報と私設網の加入者状態情報を整合できるようにする装置、方法及びそのシステムを提供する。
【００１５】
【課題を解決するための手段】
本発明の第１の側面は、公衆セル領域を形成する少なくとも一つの基地局を含む公衆網(ＰＬＭＮ；公衆移動通信網)と公衆及び私設共有セル領域を形成する少なくとも一つの基地局を含む私設網が連動され、加入者が一つの無線端末に公衆移動通信サービスと私設通信サービスをすべて受けるようにする公衆及び私設移動通信システムで、前記公衆網の加入者状態情報と前記私設網の加入者状態情報を整合させるための方法であって、前記私設網が、前記公衆及び私設共有セル領域内にある無線端末の状態を判定して、対応する加入者状態情報を前記公衆網に伝達する第１段階と、前記公衆網で受信された前記加入者状態情報に基づいて前記無線端末に対する公衆網呼出呼を処理する第２段階と、を含み、前記第１段階は、前記無線端末の状態情報が変化される時に遂行されることを特徴とする（請求項１）。
【００１６】
本発明の第２の側面は、少なくとも一つの移動交換局と、前記移動交換局それぞれに連結された複数の公衆網基地局制御局と、前記基地局制御局それぞれに連結され公衆専用セル領域を形成する複数の公衆網基地局とを含む公衆網(ＰＬＭＮ；公衆移動通信網)と連動され、前記複数の公衆網基地局制御局中のいずれか一つに連結された公衆及び私設通信サービス装置と、前記公衆及び私設通信サービス装置に連結され公衆及び私設共用セル領域を形成する少なくとも一つの私設基地局とを含む公衆及び私設移動通信システムで、前記公衆網の加入者状態情報と前記私設網の加入者状態情報を整合させるための方法であって、前記公衆網基地局制御局から前記公衆及び私設共用セル領域内の無線端末に対する公衆網着信呼メッセージを受信する段階と、前記無線端末が現在私設網呼連結中であるかを判定する段階と、前記判定結果、前記端末がアイドル状態である場合には、前記公衆網着信呼を前記無線端末に連結させ、前記端末が私設網呼使用中である場合には、呼出応答メッセージを生成して前記公衆網基地局に伝送する段階と、前記無線端末の状態情報が変化される時に、前記私設網が該無線端末の状態情報を公衆網に伝達する段階と、を前記公衆及び私設通信サービス装置で実行することを特徴とする（請求項４）。また、本発明方法の第３の側面は、前記公衆及び私設共用セル領域内の端末が前記私設網の呼出に応答する時、前記公衆及び私設通信サービス装置が、前記端末の私設網通話中状態情報を前記公衆網基地局制御局に伝達する段階と、前記公衆網基地局制御局に受信された前記状態情報を利用して、前記移動交換局が、訪問者位置登録機に存在する前記端末に対する状態情報を更新する段階と、を含むことを特徴とする（請求項５）。
【００１７】
本発明の第４の側面は、複数の移動端末と、少なくとも一つの移動交換局と、前記移動交換局それぞれに連結された複数の公衆網基地局制御局と、前記基地局制御局それぞれに連結され公衆専用セル領域を形成する複数の公衆網基地局とを含む公衆網(ＰＬＭＮ；公衆移動通信網)と連動され、公衆及び私設共用セル領域を形成する少なくとも一つの私設基地局が連結された公衆及び私設通信サービス装置であって、前記公衆及び私設共用セル領域内の端末に対する着信を要求するメッセージが私設移動通信サービスメッセージである場合には、対応する私設交換サービスのための網接続を提供し、前記端末に対する着信を要求するメッセージが公衆移動通信サービスのためのメッセージである場合には、前記着信要求された端末が現在アイドル状態であるか、私設呼連結中であるかを判定してアイドル状態である場合には、対応する網接続を提供し、私設呼連結中である場合には、通話中であることを示す呼出応答メッセージを生成して前記公衆網基地局制御局に伝送する呼管理装置と、前記呼管理装置の制御によって前記受信されたサービス要求メッセージが要求するサービスに対応する通信経路を形成する通信経路形成部と、を含み、前記呼管理装置は、前記公衆及び私設共用セル領域内の端末の状態情報変化を感知した時に、該変化された状態情報を公衆網基地局制御局に伝達することを特徴とする（請求項７）。また、本発明の第５の側面は、前記公衆及び私設共用セル領域内の無線端末から私設呼サービスを要求するメッセージが受信される場合、対応する私設交換サービスのための網接続を提供し、前記無線端末が私設呼連結中であることを示すメッセージを生成して前記公衆網基地局制御局に伝送する呼管理装置と、前記呼管理装置の制御によって前記受信されたサービス要求メッセージが要求するサービスに対応する通信経路を形成する通信経路形成部と、を含み、前記呼管理装置は、前記公衆及び私設共用セル領域内の端末の状態情報変化を感知した時に、該変化された状態情報を公衆網基地局制御局に伝達することを特徴とする（請求項８）。さらに、本発明方法の他の側面は、前記公衆及び私設共用セル領域内の端末の状態情報が変化する場合、前記公衆及び私設通信サービス装置が、当該変化した端末の状態情報が書き込まれたフィールドを含むメッセージを生成して前記公衆網基地局制御局に伝達する段階と、前記移動交換局が、前記公衆網基地局制御局で受信された前記メッセージ内に含まれている前記状態情報を示すフィールドを判読して訪問者位置登録機に存在する前記端末に対する状態情報を更新する段階と、を含むことを特徴とする（請求項１２）。さらにまた、本発明方法の他の側面は、前記公衆及び私設共用セル領域内の端末が前記私設網の呼出に応答する場合、前記公衆及び私設通信サービス装置で、当該端末の状態情報を示すフィールドに該端末が通話中状態であることを記録したメッセージを生成して前記公衆網基地局制御局に伝達する段階と、前記移動交換局で、前記公衆網基地局制御局で受信された前記メッセージ内に含まれている前記状態情報を示すフィールドを判読して訪問者位置登録機に存在する前記端末に対する状態情報を更新する段階と、を含むことを特徴とする（請���項１３）。また、本発明の他の側面は、複数の移動端末と、少なくとも一つの移動交換局と、前記移動交換局それぞれに連結された複数の公衆網基地局制御局と、前記公衆網基地局制御局それぞれに連結され、公衆専用セル領域を形成する複数の公衆網基地局とを含む公衆網(ＰＬＭＮ；公衆移動通信網)と連動され、公衆及び私設共用セル領域を形成する少なくとも一つの私設基地局が連結された公衆及び私設通信サービス装置であって、前記公衆及び私設共用セル領域内の無線端末から私設呼サービスを要求するメッセージが受信される場合、対応する私設交換サービスのための網接続を提供して当該無線端末の状態を示すフィールドに該無線端末が私設呼連結中であることを記録したメッセージを生成して前記公衆網基地局制御局に伝送する呼管理装置と、前記呼管理装置の制御によって前記受信されたサービス要求メッセージが要求するサービスに対応する通信経路を形成する通信経路形成部と、を含むことを特徴とする（請求項１８）。
【００１８】
【発明の実施の形態】
以下、本発明の望ましい実施形態について添付図を参照しつつ詳細に説明する。下記の発明において、本発明の要旨のみを明瞭にする目的で、関連した公知機能又は構成に関する具体的な説明は省略する。
【００１９】
図２は本発明が適用されることができる公衆／私設移動通信システムの公衆／私設通信サービス装置の構成の一例を示している。
【００２０】
図２に示された公衆／私設通信サービス装置１２は有線サービス、ＩＰ端末サービス、及び公衆用及び私設用移動通信サービスを提供する。前記有線サービスはＰＢＸ３０により、ＩＰ端末間のサービスはゲートキーパー９４により、公衆用及び私設用移動通信サービス、即ち、無線呼サービスは呼管理装置５０により遂行される。
【００２１】
ＰＢＸ３０、ｐＢＳＣ４０のＩＮＩＡ(ＩＰ Network Interface board Assembly module)４６、呼管理装置５０のＬＩＭ(ＬＡＮ Interface Module)それぞれは、ＬＡＮ(Local Area Network)９０に連結される。そしてゲートキーパー９４も前記ＬＡＮ９０に連結され、ＬＡＮフォン９２、ウェブフォン、ＰＣ(Personal Computer)のようなＩＰ端末も前記ＬＡＮ９０に連結される。
【００２２】
ｐＢＳＣ４０は公衆用移動通信システムでのＢＳＣに対応する機能、即ち、無線リンク制御、ハンドオフ機能を遂行する。ｐＢＳＣ４０のメイン制御部は呼管理装置５０のソフトウェアブロックに内蔵される。前記ｐＢＳＣ４０はＰＣＩＮ４２を含めている。ｐＣＩＮ４２は呼管理装置５０との通信経路、ＰＬＭＮ１のＢＳＣ(４−ｍ)との通信経路、ｐＢＴＳ(８−ｋ)との通信経路及びｐＢＳＣ４０内の各ブロック間のデータ経路を提供する。即ちｐＣＩＮ４２はメッセージタイプ、受信されるメッセージに含まれている発信住所及び受信住所を解釈して、該当装置、またはプロセッサに伝送する役割を遂行する。ｐＣＩＮ４２とＰＬＭＮ１のＢＳＣ(４−ｍ)間及びｐＣＩＮ４２とｐＢＴＳ(８−ｋ)間はＥ１ラインに連結されている。ｐＢＳＣ４０のｐＣＩＮ４２に連結されたＴＳＢ(Transcoder & Selector Bank)４４は私設用移動通信加入者の無線サービスのため設けられたものである。ＴＳＢ４４はＰＢＸ３０と前記ｐＢＳＣ４０間の通信データ整合のための機能を遂行する。ｐＢＳＣ４０のＰＣＩＮ４２に連結されたＩＮＩＡ４６は、構内無線データサービスを担当する。ＰＰＰ(Point to Point Protocol)サーバとＴＣＰ／ＩＰ(Transmission Control Protocol／Internet Protocol)を利用した公衆／私設共有セル領域のＭＳから受信されるデータパケットをＬＡＮ９０に伝送する役割をする。
【００２３】
ＰＢＸ３０内に位置し、前記ＰＢＸ３０のスイッチ３２とＬＡＮ９０間に連結されたＶｏＩＰ部３６はＬＡＮフォン９２などのＩＰ端末とＰＢＸ３０に連結された有線端末機(図示せず)がスイッチ３２により連動された場合にＶｏＩＰ機能をサービスする。
【００２４】
呼管理装置５０はｐＢＳＣ４０とＬＡＮ９０に連結されており、公衆用及び私設用移動通信サービスの無線呼に対する制御機能を遂行する。この時、公衆用移動通信網のＭＳに対する呼サービスは公衆用ＭＳＣにメッセージをバイパシング(bypassing)されるように制御する。また呼管理装置５０は無線資源に対する運営、維持、保守機能を遂行する。ただ、ｐＢＴＳ(８−ｋ)に対する資源管理は公衆用ＭＳＣ１(２−１)で主管し、呼管理装置５０は参照のみする。そして呼管理装置５０はｐＢＳＣ資源を制御するプロセッサのプログラム及びＰＬＤ(Program Loaded Data)ローディング機能を遂行する。ただ、ｐＢＴＳ(８−ｋ)に対するローディングは、公衆用ＢＳＭ(Base Station Manager)(図示せず)で担当する。呼管理装置５０は有、無線複合機能を制御する。また社内無線単文サービス機能を支援し、このためのＳＭＳ(Short Message Service)機能を遂行する。また、私設用移動通信網加入者登録及び機能設定のための機能を支援し、私設用移動通信網に加入したＭＳのローミング(roaming)機能のための訪問者位置登録機(Visitor Location Register：ＶＬＲ)管理機能を遂行する。
【００２５】
呼管理装置５０はこのような機能を遂行するため、図示されたように、ＤＣＩ(Data Communication Interface)５２、ｐＢＴＭＲ(ｐＢＴＳMessage Router)５４、ｐＢＳＣ(private ＢＳＣ)５６、ｐＭＳＣ(private Mobile Switching Center)５８、ＰＭＩＣ(ＰＢＸ Mobile Interface Controller)６０、ＳＭＣ(Short Message service Controller)６２、ｐＶＬＲ(private Visitor Location Register)６４、ＷＳＭ(Wireless System Manager)６６、及びＬＩＭ(ＬＡＮ Interface Module)６８を含むソフトウェアブロックを有する。ＤＣＩ(Data Communication Interface)５２はｐＢＳＣ４０のＰＣＩＮ４２と呼管理装置５０間の通信のためのインタフェースモジュールとして、ＨＩＮＡ(High Capacity IPC Processor Assembly)を通じたＩＰＣ(Inter Process Communication)を担当する。ｐＢＴＭＲ(ｐＢＴＳ Message Router)５４はｐＢＴＳ(８−ｋ)で処理すべきであるすべてのメッセージに対する経路指定を担当するモジュールである。より具体的に説明すると、ｐＢＴＭＲ５４は内部のルータテーブルを参照してＭＳの着、発呼サービス(公衆用、私設用)のための制御(シグナル)メッセージ経路を指定し、ｐＢＴＳ(８−ｋ)の維持保守サービスのためのメッセージ経路を指定する。また前記ｐＢＴＭＲ５４はｐＶＬＲ６４と通信する。ｐＢＳＣ５６はｐＢＳＣ４０のメイン制御部として、ｐＢＴＳ(８−ｋ)の制御を担当する。ｐＭＳＣ５８は公衆用移動通信網と私設用移動通信網サービスを支援することにおいて、ｐＢＳＣ５６とＰＭＩＣ６０間に位置して既存公衆用移動通信網のＭＳＣの役割に対応された役割を担当する。また本発明の実施形態に従って、基本的に加入者の呼処理及びその他の付加サービスの分析及びＰＢＸ３０との連動のための諸般インタフェースを処理する。より具体的に説明すると、ｐＭＳＣ５８は加入者のサービス要求を分析し、これを既存公衆用移動通信網サービスに処理するか、私設用移動通信網サービスに処理するかに対する基本的な戦略とこれに対する処理手順に対する定義がある。ｐＢＳＣ５６とのインタフェースは既存公衆用移動通信網への処理手順に従って、相互インタフェースは内部ＩＰＣを利用する。ＰＭＩＣ(ＰＢＸ Mobile Interface Controller)６０は有、無線複合機能を制御するモジュールである。ＰＭＩＣ６０は公衆／私設共有セル領域にあり、私設用移動通信サービス登録されたＭＳ、例えば、図１に示されたＭＳ２４、ＭＳ２５とＰＢＸ３０に連結された有線端末装置間の呼制御を処理するモジュールである。ｐＭＳＣ５８は既存の公衆用ＭＳＣとは異なり、自分が直接スイッチング役割を果たさない。これはｐＭＳＣ５８がソフトウェアブロックであるので、公衆用ＭＳＣのようなスイッチがないからである。そのため、私設用移動通信サービスを提供する時、本発明の公衆／私設通信サービス装置１２ではＰＢＸ３０のスイッチ３２を利用する。本発明の実施形態では前記ＰＭＩＣ６０がｐＭＳＣ５８のスイッチ制御要求によりＰＢＸ３０のスイッチ３２を制御する内容の命令語を生成してＰＢＸ３０の制御部(図示せず)に印加する。それによってＰＢＸ３０の制御部は前記命令語に相応する一連のスイッチ制御を遂行する。ＳＭＣ(Short Message service Controller)６２は単文メッセージサービスのための制御機能及びＳＭＳ(Short Message Service)ウェブサーバ機能を担当するモジュールである。ｐＶＬＲ(private Visitor Location Register)６４は、私設用移動通信サービス登録された加入者情報、私設移動通信加入者の位置登録情報、各種機能サービスのための情報を管理するモジュールである。ＷＳＭ(Wireless System Manager)６６は公衆／私設通信サービス装置１２が提供する移動通信サービス機能のすべての維持、保守、運営を担当する。ＷＳＭ６６には運用者とのインタフェースのため運用者コンソール(console)(図示せず)が連結されている。ＬＩＭ(ＬＡＮ Interface Module)６８はＬＡＮ９０を通じた通信を担当するモジュールである。前記ＬＩＭ６８は運営体制(operating system)を通じて対応された各モジュール(ＰＭＩＣ６０、ＳＭＣ６２、ｐＶＬＲ６４、ＷＳＭ６６)とＬＡＮ９０を通じた通信を担当するように構成されている。
【００２６】
ｐＢＴＳ(８−ｋ)は、ＰＭＣＣ(ｐＢＴＳ Main Controller Card)８０、ＰＣＣ(ｐＢＴＳ Channel Card)８２、ＴＲＩＣ(Transmit & Receive Interface Card)８４、及びＰＲＵ(private ＢＴＳ Radio Unit)８６を含めている。前記ｐＢＴＳ(８−ｋ)に含まれた構成は、通常の公衆用移動通信システムでのＢＴＳ構成とその動作が類似であるので、それに対する詳細な説明は省略する。ｐＢＴＳ(８−ｋ)で、ＰＭＣＣ８０はｐＢＴＳ(８−ｋ)に対する全体制御を遂行するブロックとして、呼設定及びシステム性能に関連されたシグナルリングメッセージを処理し、ハードウェア及びソフトウェア形状を管理し、必要な資源割り当てを遂行する。ＰＣＣ８２は無線規格に合う帯域の信号処理を遂行する。ＴＲＩＣ８４はＰＲＵ８６とＰＣＣ８２間で送受信インタフェースを担当する。ＰＲＵ８６は無線部として複数個のアンテナ(ＡＮＴ１−ＡＮＴｎ)に連結される。
【００２７】
公衆／私設通信サービス装置１２は有線サービス、ＩＰ端末サービス、そして公衆用及び私設用移動通信サービスを提供する。下記では公衆／私設通信サービス装置１２が遂行する公衆用及び私設用移動通信サービスに対して詳細に説明する。
【００２８】
公衆／私設通信サービス装置１２は呼管理装置５０にサービス登録されたＭＳに対して無線自体機能だけではなく、有線と連係した複合機能サービスを提供する。無線自体機能に関連されたサービスには発呼、着呼、呼転換(call transfer)、呼フォーワーディング(call forwarding)、構内無線データサービス、構内無線ＳＭＳなどがある。そして、有無線複合機能サービスの一例には有線端末への着呼時に前記有線端末とＭＳに着信リングを同時に鳴らせる機能がある。
【００２９】
このような公衆／私設移動通信システムが公衆用移動通信サービス及び私設用移動通信サービスを共に提供することができるとは、公衆／私設通信サービス装置１２に印加されるすべてのメッセージを分析して公衆用移動通信網に該当する制御(シグナル)メッセージは公衆用ＢＳＣに伝達し、私設用移動通信網に該当する制御(シグナル)メッセージは呼管理装置５０内にあるモジュールにルーティングするとの意味である。このように経路指定の役割を遂行するモジュールは、呼管理装置５０のｐＢＴＭＲ５４である。前記ｐＢＴＭＲ５４は発呼、着呼、位置登録、ＳＭＳサービスなどのイベントが発生すると、イベントされたメッセージを分析してそれによる経路を指定する。前記ｐＢＴＭＲ５４は各イベントに対応された指定された経路情報がマッピングされたルータテーブルを設けているが、各メッセージが印加されるごとに、前記ルータテーブルを参照して該当される装置及びモジュールにメッセージを伝送する。
【００３０】
図３は本発明が適用されることができる公衆／私設移動通信システムの公衆／私設通信サービス装置構成の他の例を示している。
【００３１】
図３に示された公衆／私設通信サービス装置の例では、ＢＴＳ２００、ＢＳＣＰＶＴ５００、そして無線公衆網３００、４００間が非同期伝送モード(Asynchronous Transfer Mode：ＡＴＭ)網に構成され、信号パケット、音声圧縮パケット、そしてデータパケットが伝送される。
【００３２】
また、図２では呼管理装置が参照符号５０に示したように、別のサーバ形態に存在することに示されているが、図３に示されたように、カード形態にＢＳＣＰＶＴ[private ＢＳＣ(Base Station Controller)]に実装されることもできる。
【００３３】
図３を参照すると、参照符号ＣＭ_１は前記カードを示し、二点鎖線に表示された内部構成要素、ｐＶＬＲ５１０、ｐＭＳＣ５２０、ｐＢＳＣ５３０、ｐＢＴＭＲ４００、そしてＰＭＩＣ５６０は、これらがソフトウェアモジュールであることを意味する。その他にも前記ＢＳＣＰＶＴにはパケットメッセージ(packet message)経路であるｐＢＡＮ(privateＢＳＣ ＡＴＭ Network)５５０とＴＣＬＡ(Transcode Control and Linkboard Assembly)５７０などが含まれる。
【００３４】
構内(私設)網に位置したＭＳ１００はＢＴＳ２００を通じて無線公衆網３００、４００への着信、または発信をするようになり、前記無線公衆網のＶＬＲには前記ＭＳ１００の状態、即ち通話中(busy)、またはアイドル状態(idle)が続けて更新される。他局ＭＳＣ(図示せず)から自局ＭＳＣ４００への呼が発生されると、ホーム位置登録機(Home Location Register：ＨＬＲ、図示せず)でＶＬＲに加入者状態を照会する。この時、加入者状態が“アイドル状態”であると、前記他局ＭＳＣから自局ＭＳＣ４００に呼がルーティングされて呼出が生じる。
【００３５】
公衆網呼が発生された時の連結経路を具体的に説明すると、着信呼の場合、ＭＳＣ４００からＢＳＣ３００にＮｏ.７シグナルリングを通じて呼出要求(paging request)メッセージを伝達する。前記呼出要求メッセージを受信したＢＳＣ３００はｐＢＳＣ５３０を通じてＢＴＳ２００に一般(general)呼出メッセージを伝送するようになり、前記ＢＴＳ２００で呼出チャネルを通じて呼出が生じる。ただ、前記着信呼が発生された時、ＶＬＲに記録されているＭＳ１００の状態を照会して、通話中であると、前記のような着信過程が生じなく、ＭＳＣ４００内部で通話中処理過程を遂行する。
【００３６】
構内無線呼が発生された時の連結経路を説明すると、次のようである。
【００３７】
着信呼の場合には、私設交換機(ＰＢＸ)がｐＢＳＣ５３０に呼出要求メッセージを送ると、前記ｐＢＳＣ５３０がＢＴＳ２００に呼出メッセージを伝送するようになり、前記ＢＴＳ２００が呼出チャネルを通じて呼び出す。
【００３８】
反対に、発信呼の場合、ＭＳ１００がＢＴＳ２００を通じて発信呼メッセージ(origination)をｐＢＳＣ５３０に送信すると、ｐＭＳＣ５２０がｐＢＳＣ５３０と私設交換機(ＰＢＸ)間に連結されたＥ１チャネル中、可用したチャネルを占有した後、割り当て要求(assignment request)メッセージをｐＢＳＣ５３０に送る。前記割り当て要求メッセージを受信したｐＢＳＣ５３０はＢＴＳ２００にチャネル割り当てメッセージを送信する。このようにして、前記ｐＢＳＣ５３０のボコーダ(図示せず)と前記ＢＴＳ２００のチャネル間にリンクが設定される。次に前記ＭＳ１００がサービス連結完了(service connect complete)メッセージを前記ｐＢＳＣ５３０に送ると、これを受信した前記ｐＢＳＣ５３０が割り当て完了(assignment complete)メッセージとしてリンクの設定が完了されたことをｐＭＳＣ５２０に知らせる。これに前記ｐＭＳＣ５２０が私設交換機(ＰＢＸ)に呼成立(make call)メッセージを発生させ、前記私設交換機(ＰＢＸ)で着信者がいる所にルーティングが生じるようにする。
【００３９】
また、ＢＳＣ３００がＢＴＳ２００に送る呼出要求メッセージがｐＢＳＣ５３０を通じて伝達されるので、この時、前記ｐＢＳＣ５３０で前記メッセージ内に含まれた着信者情報を分析して構内網加入者への呼出である場合、構内網通話状態であるかを検査し、検査結果、通話状態である場合、呼出要求を受諾しないようにする(reject)処理過程を具現することもできる。
【００４０】
今まで本発明の理解を助けるために、本発明が適用されることができる公衆／移動通信システムの公衆／私設通信サービス装置の構成例を説明した。当業者であれば、本願明細書の内容から本発明が前記例の装置に同一に適用可能であり、また本願明細書を参照することにより、前記例と類似な構成及び通信経路を有する他のシステム及び装置にも本発明の範囲内で適用することができるとの事実を認識するだろう。
【００４１】
以下では図３に開示された公衆／私設通信サービス装置を基準にして本発明の詳細な構成を説明するが、これはただ説明の便宜のためのものであり、本願発明の範囲を制限しようとするものではない。言及したように、当業者であれば、次の詳細な説明を参照して本願発明を図２の装置だけではなく、類似な構成及び通信経路を有する装置に同一に適用することができるだろう。
【００４２】
図４は前記図２、または図３の公衆／私設網で公衆網呼出呼を処理する方法を示した流れ図として、以下では図３及び図４を参照して説明する。
【００４３】
３ａ段階で公衆／私設網共有セル領域にあるＭＳ１００を呼び出すために、ＢＳＣ３００が呼出メッセージをＢＴＳ２００に伝送する。３ｂ段階でｐＢＡＮ５５０は受信された呼出メッセージをｐＢＴＭＲ５４０に伝送する。もし、図２の場合であれば、呼出メッセージがｐＣＩＮ４２を通じてｐＢＴＭＲ５４０に伝送されるだろう。さらに図３を参照すると、３ｃ段階で前記ｐＢＴＭＲ５４０は前記呼出メッセージを受信した後、ＢＴＳ２００に伝送する。
【００４４】
３ｄ段階で前記ＢＴＳ２００は呼出メッセージを前記ＭＳ１００に伝送する。そして３ｆ段階で前記ＭＳ１００から応答があるかをチェックする。前記チェック結果、応答があると、３ｆ段階で前記ＭＳ１００の呼出応答メッセージを前記ｐＢＡＮ５５０を通じて前記ｐＢＴＭＲ５４０に伝送する。３ｇ段階で前記ｐＢＴＭＲ５４０は前記ＭＳ１００の呼出応答メッセージを前記ｐＢＡＮ５５０を通じて公衆網のＢＳＣ３００に伝送する。そして３ｈ段階でＢＳＣ呼手続を進行する。
【００４５】
前記３ｅ段階で前記ＭＳ１００から応答がないと、３ｉ段階で再伝送回数をチェックして予め定められた回数(例:２)以上であると、３ｊ段階に進行してＢＳＣ呼出を終了し、そうでないと、３ａ段階に戻して呼出メッセージ再伝送が遂行されるようにする。
【００４６】
公衆／私設網でＭＳ１００が公衆網の呼出に対して応答できない場合を説明すると、ＭＳ１００に自体的な問題がある場合、または現在私設網を利用している場合である。後者の場合は私設網で構内他の加入者７００と通話中であることを意味するもので、この時は公衆網で呼出信号(公衆網着信呼)が発生しても、現在通話中であるので、ＭＳ１００が応答できない。しかし、無線公衆網としてはＭＳ１００が構内通話中状態であることを知り得る方法が全然ないので、言い換えれば、無線公衆網では前記ＭＳ１００の状態をアイドル状態に認識するので、続けて呼び出すようになる。図示された例では１次呼出に対する応答がないと、２次呼出を試みるようになっており、ＭＳ１００がその時まで通話中であれば、呼出に対する応答が不可能であるので、無応答処理過程を遂行するしかない。このようになると、公衆網では前記ＭＳ１００の位置も把握できないだけではなく、２次呼出まで試みるべきである。言い換えれば、公衆網無線資源の効率的な管理が不可能である。
【００４７】
図５は本発明の第１実施形態による公衆／私設移動通信システムの公衆／私設通信サービス装置の構成を示した図である。
【００４８】
図５に示された実施形態は図３に示された公衆／私設通信サービス装置に具現した一例を示したもので、直接的に関与しない部分(ｐＭＳＣ５２０、ｐＢＳＣ５３０、ＰＭＩＣ５６０)は図示されていない。
【００４９】
本発明の第１実施形態による公衆／私設通信サービス装置のｐＢＴＭＲは、第１及び第２判別部５４０ａ、５４０ｂと呼出応答メッセージ発生部５４０ｃを含むことができる。ここで、前記第１判別部５４０ａは公衆網でＭＳ１００に呼が発生するかを判別し、第２判別部５４０ｂはＭＳ１００が構内通話中であるかを判別し、呼出応答メッセージ発生部５４０ｃは前記第１判別部５４０ａにより公衆網でＭＳ１００に呼が発生されたことが認識され、前記第２判別部５４０ｂによりＭＳ１００と構内通話中であることが認識されると、ＭＳ１００の代わりに呼出応答メッセージを発生して公衆網に伝送する。
【００５０】
第２判別部５４０ｂはＭＳ１００が私設網に接続されているかを示す状態情報を有する私設呼テーブル(private call table)５１５を参照して、該当ＭＳ１００が構内通話中であるか否かを判別することができる。
【００５１】
前記のような構成に基づいて、公衆網呼出呼及び私設網呼出呼の伝達過程と、それぞれに対する呼出応答メッセージ発生過程を説明すると、次のようである。
【００５２】
公衆網呼出呼伝達過程はＭＳＣ→ＢＳＣ→ＢＳＣＰＶＴ(ｐＢＴＭＲ)→ＢＴＳ→ＭＳになり、呼出応答メッセージ発生過程は逆順にＭＳ→ＢＴＳ→ＢＳＣＰＶＴ(ｐＢＴＭＲ)→ＢＳＣ→ＭＳＣになる。ここで前記ｐＢＳＣＰＶＴ(ｐＢＴＭＲ)はｐＢＳＣＰＶＴ内部のＢＴＳメッセージルータソフトウェアブロックを意味する。
【００５３】
私設網呼出呼伝達過程は、ｐＭＳＣ→ＢＳＣＰＶＴ(ｐＢＴＭＲ)→ＢＴＳ→ＭＳになり、呼出応答メッセージ発生過程は、ＭＳ→ＢＴＳ→ＢＳＣＰＶＴ(ｐＢＴＭＲ)→ｐＭＳＣになる。
【００５４】
図６は私設網訪問者位置登録機(ｐＶＬＲ)に登録されている本発明による私設呼テーブルの構造の例を示した図である。
【００５５】
前記私設呼テーブルには各移動無線端末機の固有番号(Electronic Serial Number：ＥＳＮ)、電話番号(Mobile Identification Number：ＭＩＮ)、内線番号、加入者名前、状態情報などが記録される。前記状態情報は私設網使用可否を表示する。前記状態情報はｐＭＳＣ５２０により記録、または削除されるが、私設網の呼出時には“私設網使用中”であることが記録され、呼解除時にはその記録が削除される。
【００５６】
呼出呼に対する端末機呼出応答メッセージを発生する時、ｐＢＴＭＲ５４０は前記状態情報を参考してルーティングする。また公衆網呼出に対するｐＢＴＭＲ５４０のルーティングも前記状態情報を参考する。即ち、該当端末機が私設網使用中であると、端末機の呼出応答メッセージを生成して公衆網に応答する。
【００５７】
図７は本発明による呼出応答メッセージの構造を示した図である。
【００５８】
sud_tagはメッセージタグ(tag)として、例えば、呼出応答メッセージ(Page Response Message：ＰＲＭ)や登録メッセージ(Registration Message：ＲＧＭ)などを意味することができる。mobile_idの種類にはＥＳＮ、ＭＩＮ、ＩＭＳＩ(International Mobile Subscriber Identity)などがある。前記ＩＭＳＩはＳＩＭ(Subscriber Identity Module)に貯蔵されており、システムに接続する時に認証用として使用される。
【００５９】
図８は本発明の第１実施形態に従って、私設網が公衆網呼出呼を処理する方法を示した図である。前記私設網による呼処理は４過程に大別され、図５を参照して図８の手続を具体的に説明すると、次のようである。
【００６０】
第１過程：公衆網でＭＳ１００に呼が発生するか否かをチェックする過程である。
【００６１】
１３ａ段階でＢＳＣ３００が公衆／私設網共有セル領域にあるＭＳ１００を呼び出すため、呼出メッセージをＢＴＳ２００に伝送する。
【００６２】
第２過程：前記第１過程で呼が発生したことに判断される場合、図６に示されたような私設呼テーブル５１５に基づいて、該当ＭＳ１００が私設網呼使用中であるか否かを確認する過程である。
【００６３】
１３ｂ段階でｐＢＡＮ５５０は受信された呼出メッセージをｐＢＴＭＲ５４０に伝送する。そして１３ｃ段階でｐＢＴＭＲ５４０はｐＶＬＲ５１０に該当ＭＳ１００の私設網呼使用中可否の分析を依頼する。
【００６４】
第３過程：前記第２過程で私設網呼使用中であることに判断されると、前記ＭＳ１００の代わりに図７に示されたような呼出応答メッセージを発生し、その呼出応答メッセージを前記公衆網に伝送する過程である。
【００６５】
１３ｄ段階で私設網呼使用中であることに判断されると、１３ｅ段階に進行して前記ｐＢＴＭＲ５４０は前記ＭＳ１００の代わりに呼出応答メッセージを発生し、その呼出応答メッセージをｐＢＡＮ５５０を通じて公衆網のＢＳＣ３００に伝送する。そして１３ｆ段階に進行してＢＳＣ呼出を終了する。
【００６６】
第４過程：前記第２過程で私設網呼使用中ではないことに判断される場合として、公知の動作のようである。即ち、前記１３ｄ段階で私設網呼使用中ではないことに判断されると、１３ｇ段階に進行して前記ｐＢＴＭＲ５４０が呼出メッセージを前記ｐＢＡＮ５５０を通じてＢＴＳ２００に伝送する。
【００６７】
図９は本発明の第２実施形態に従って私設網が公衆網に公衆／私設網共有セル領域にある構内ＭＳの状態を知らせる方法を示した流れ図である。
【００６８】
上述した図３で、私設網呼出呼の伝達はｐＭＳＣ→ＢＳＣＰＶＴ(ｐＢＴＭＲ)→ＢＴＳ→ＭＳの順序に遂行され、構内ＭＳ応答はその逆順であるＭＳ→ＢＴＳ→ＢＳＣＰＶＴ(ｐＢＴＭＲ)→ｐＭＳＣの順序に遂行される。また私設網による構内ＭＳ状態伝達は、ｐＢＳＣ(ｐＢＴＭＲ)→ＢＳＣ→ＭＳＣの順序に遂行される。このような動作を図９を参照して具体的に説明すると、次のようである。
【００６９】
ＭＳ１００が構内他の加入者端末機７００から呼び出される場合を仮定し、この時、前記ＭＳ１００の状態を公衆網に知らせる状況を説明する。
【００７０】
第１過程：私設交換機(ＰＢＸ)で公衆／私設網共有セル領域にあるＭＳ１００を呼び出すための呼出要求メッセージを送ると、５ａ段階でｐＭＳＣ５２０が前記ＭＳ１００を呼び出すため、呼出メッセージを発生し、５ｂ段階でｐＢＳＣ５３０がこれをＢＴＳ２００に伝送する。５ｃ段階で前記ＢＴＳ２００は前記呼出メッセージを前記ＭＳ１００に伝送する。
【００７１】
第２過程：５ｄ段階で前記呼出メッセージを受信したＭＳ１００が応答メッセージ(ＡＣＫ)を発生して前記ＢＴＳ２００に伝送する。
【００７２】
第３過程：５ｅ段階及び５ｆ段階を通じて前記応答メッセージを受信したＢＴＳ２００がこれをｐＢＡＮ５５０を通じてｐＢＳＣ５３０に伝送する。５ｇ段階で前記ｐＢＳＣ５３０はこれをｐＭＳＣ５２０に伝達する。５ｈ段階で前記ｐＭＳＣ５２０は前記応答メッセージの受信が感知されると、通話路を形成した後、前記ＭＳ１００の状態(通話中)を知らせるための状態メッセージを発生してｐＢＳＣ５３０に伝送する。５ｉ段階で前記ｐＢＳＣ５３０は前記状態メッセージをｐＢＡＮ５５０を通じて公衆網のＢＳＣ３００に伝達し、５ｊ段階で前記ＢＳＣ３００は状態メッセージをＭＳＣ４００に伝送する。５ｋ段階で前記ＭＳＣ４００は前記状態メッセージに応じてＶＬＲにＭＳ１００の状態(通話中)を記録する。
【００７３】
第４過程：前記第３過程で前記応答メッセージが受信されないことに判断されると、無応答に対する処理をする過程である。具体的に、５ｅ段階でｐＭＳＣ５２０は前記応答メッセージの受信が感知されないと、５ｌ段階及び５ｍ段階のように、予め定められた回数だけ(または、一定時間)呼を再び試みる。
【００７４】
図１０は本発明の第２実施形態に従って私設網が端末機呼を終了する時、端末機状態メッセージを移動交換局(ＭＳＣ)に伝達する方法を示した流れ図である。
【００７５】
第１過程：６ａ段階でｐＭＳＣ５２０が公衆／私設網共有セル領域にあるＭＳ１００に呼終了メッセージを発生する。
【００７６】
第２過程：６ｂ段階でｐＢＳＣ５３０が前記呼終了メッセージを受信し、端末機状態メッセージ(アイドル状態)を発生してｐＢＡＮ５５０を通じて公衆網のＢＳＣ３００に伝送する。
【００７７】
第３過程：６ｃ段階で前記ＢＳＣ３００が前記状態メッセージをＭＳＣ４００に伝送すると、６ｄ段階で前記ＭＳＣ４００が前記状態メッセージに応じてＶＬＲにＭＳ１００の状態(アイドル状態)を記録する。
【００７８】
図１１は本発明による加入者整合のために新しいメッセージを生成する場合、その新規メッセージの構造を示した図である。
【００７９】
任意の一つのメッセージを構成するメッセージ領域(message field)には基本的に、５０バイトのメッセージ_ヘッダー(message header)、２バイトのメッセージ_長さ(message length)、４バイトのメッセージ_アイディ(message_ID(identification))が含まれる。前記メッセージ_ヘッダーは目的地／ソースアドレス(destination／source address)などを記録するための領域であり、前記メッセージ_長さはメッセージの長さを貯蔵するための領域であり、メッセージ_アイディはメッセージの大分類を記録するための領域である。
【００８０】
前記メッセージ_アイディ領域に通話中(LOCAL_BUSY_MSG_TYPE)、またはアイドル状態(LOCAL_IDLE_MSG_TYPE)を記録することにより、加入者整合のためのメッセージに使用されることができる。
【００８１】
図１２は本発明による加入者整合のために既存メッセージにサブ-ＩＤ及びタイプを追加した構造を示した図である。
【００８２】
任意のメッセージが前記図１１で説明した基本的な領域にメッセージ_サブ_アイディ(message_sub_ID)をさらに有する形態を示している。前記メッセージ_サブ_アイディは４バイトに構成され、メッセージの大分類内に含まれる小分類を記録するための領域である。
【００８３】
前記メッセージ_サブ_アイディ領域に通話中(LOCAL_BUSY_MSG_TYPE)、またはアイドル状態(LOCAL_IDLE_MSG_TYPE)を記録することにより、基本メッセージを加入者整合のため使用することができる。図１３はその具体的な例である。
【００８４】
前記図１３は本発明による加入者整合のため位置登録メッセージにサブ-ＩＤ及びタイプを追加した構造を示した図である。
【００８５】
位置登録メッセージは前記図１１及び図１２で説明した基本的な領域と１バイトの登録タイプ(registration type)、１バイトのスロットサイクルインデックス(slot_cycle_index)、そして端末機バージョン(version)を記録するための領域を含む。前記登録タイプに通話中(LOCAL_BUSY_REG_TYPE)、またはアイドル状態(LOCAL_IDLE_REG_TYPE)を記録することにより、前記位置登録メッセージを加入者整合のため使用することができる。また前記スロットサイクルインデックスは端末機がページングチャネル(paging channel)メッセージを検索する周期を示す。例えば、前記スロットサイクルインデックスが０であると１.２８秒、１であると２.５６秒、２であると５.１２秒がかかる。端末機のバージョンの場合は、１であるとＩＳ−９５、２であるとＩＳ-９５-Ａ、そして３であるとＴＳＢ ７４を示す。
【００８６】
【発明の効果】
本発明によると、公衆網と私設網が連動する移動通信システムで私設網内にある端末の状態情報を公衆網に伝達して公衆網で公衆及び私設共有セル領域内にある私設網加入者の状態を把握できるようにすることにより、迅速であり、円滑に公衆及び私設移動通信サービスを提供できるようになる。さらに、２次呼出の発生を防止して、不必要な呼出の発生や、呼出無応答による誤り処理などが不要になり、無線資源の効率的な管理ができるようになる。
【図面の簡単な説明】
【図１】  本発明が適用されることができる公衆／私設移動通信システムの網構成及びその通信経路を示した図。
【図２】  本発明が適用されることができる公衆／私設移動通信システムの公衆／私設通信サービス装置の構成の一例を示した図。
【図３】  本発明の公衆／私設移動通信システムの公衆／私設通信サービス装置の構成の他の例を示した図。
【図４】  本発明が適用されることができる公衆／私設移動通信システムの公衆／私設通信サービス装置で公衆網呼出呼を処理する方法を示した流れ図。
【図５】  本発明の公衆／私設移動通信システムの公衆／私設通信サービス装置の構成のさらに他の例を示した図。
【図６】  私設網訪問者位置登録機にある、本発明の第１実施形態による移動無線端末機状態情報テーブルの構造を示した図。
【図７】  本発明の第１実施形態による呼出応答メッセージの構造を示した図。
【図８】  本発明の第１実施形態に従って私設網が公衆網呼出呼を処理する方法を示した図。
【図９】  本発明の第２実施形態に従って私設網が公衆網に公衆／私設網共有セル領域にある構内無線端末機の状態を知らせる方法を示した流れ図。
【図１０】  本発明の第２実施形態に従って私設網が端末機呼を終了する時、端末機状態メッセージを移動交換局(ＭＳＣ)に伝達する方法を示した流れ図。
【図１１】  本発明の第２実施形態による加入者整合のため新しいメッセージを生成する場合、その新規メッセージの構造を示した図。
【図１２】  本発明の第２実施形態による加入者整合のため既存メッセージにサブ-ＩＤ及びタイプを追加した構造を示した図。
【図１３】  本発明の第２実施形態による加入者整合のため位置登録メッセージにサブ-ＩＤ及びタイプを追加した構造を示した図。
【図１】
0003848232.tif 000002
【図２】
0003848232.tif 000003
【図３】
0003848232.tif 000004
【図４】
0003848232.tif 000005
【図５】
0003848232.tif 000006
【図６】
0003848232.tif 000007
【図７】
0003848232.tif 000008
【図８】
0003848232.tif 000009
【図９】
0003848232.tif 000010
【図１０】
0003848232.tif 000011
【図１１】
0003848232.tif 000012
【図１２】
0003848232.tif 000013
【図１３】
0003848232.tif 000014